(57)【要約】【課題】  食品などの開封された袋を再度封止し、なおかつ、所定の場所に吊り下収納を簡便に実現する補助具を提供する。【解決手段】  筒状を成している本体１と、本体１に設けられた設置補助部２と、本体１の内部の中空部３と、本体１に設けられた中空部３の軸方向に延びるスリット部４とを有し、中空部３は少なくとも一方の端部から前記中空部の中心に進むにつれて狭くなる、ことを特徴とするスリットクリップであって、設置補助部２により壁又は棚の下面などに取付ける。【選択図】図１
2018002309.tif 000002
【特許請求の範囲】
【請求項１】
筒状を成している本体と、前記本体に設けられた設置補助部と、前記本体の内部の中空部と、前記中空部の軸方向に延びる前記本体に設けられたスリット部とを有し、前記中空部は少なくとも一方の端部から前記中空部の中心に進むにつれて狭くなる、ことを特徴とするスリットクリップ。
【請求項２】
前記中空部は、湾曲部ないし屈曲部を有する、ことを特徴とする請求項１に記載のスリットクリップ。
【請求項３】
前記スリット部は、湾曲部ないし屈曲部を有する、ことを特徴とする請求項１、２に記載のスリットクリップ。
【発明の詳細な説明】
【技術分野】
【０００１】
本発明は、袋に封入された食品などの開封された袋を再度封止すると共に袋を吊り下げ収納できる封止補助具に関するものである。
【背景技術】
【０００２】
被封止物に適した性能を有している袋の密閉封止技術が数多く開発されているが、開封後、再度簡便に封止して保存する技術は未熟である。そのため、開封したら使い切ることを前提にした物もあるが、使う量を押し付けられる不快感を与える技術であり、用途が限られている。また、軽量物を内蔵した袋は、自立するようには作られていないものが多く、袋が横たわる状態で保存される。中身の残った袋を単に丸めて保存すると、中身がこぼれたり、湿気により変質したり、匂いが他の物質に写ったり、匂いを他の物質から吸収したり、腐敗したりなど、様々な不具合が生じる。加えて、棚や引き出しなどに保存する場合、袋包装品は、自然と積み重ねる収納状態となることが多く、下にあるものが判別し難くなって行き、整然と収納するのは不向きであった。
【０００３】
このような現状に対して特開２００５−１８５８１７号公報で示されるように、開封袋口５ａを圧着して封止し、保存の際の支障が最小限となるようにした技術がある。しかし、特に軽量物の袋物の特性の一つである自然と積み重ねる収納状態となることは相変わらず放置されたまま、従来のままである。
【０００４】
ファスナーを有した袋がある。開封後、再封止する際にファスナーにより密着封止を行うことが出来るので、風味を重んじる食品やその他のものに採用されている。しかし、このような高性能な袋は近年増加しているが、まだ一部の物品にしか使用されていない。
【先行技術文献】
【特許文献】
【０００５】
【特許文献１】特開２００５−１８５８１７号公報
【発明の概要】
【発明が解決しようとする課題】
【０００６】
食品などの開封された袋を再度封止し、なおかつ、所定の場所に吊り下収納を簡便に実現する補助具を提供する。
【課題を解決するための手段】
【０００７】
筒状を成している本体１と、本体１に設けられた設置補助部２と、本体１の内部の中空部３と、中空部３の軸方向に延びる本体１に設けられたスリット部４とを有し、中空部３は少なくとも一方の端部から前記中空部の中心に進むにつれて狭くなる、ことを特徴とするスリットクリップであって、設置補助部２により壁又は棚の下面などに取付ける。
【発明の効果】
【０００８】
食品などの開封された袋を再度封止し、なおかつ、所定の場所に吊り下収納を可能とした。
【図面の簡単な説明】
【０００９】
【図１】第１の実施例を説明するスリットクリップ組立図
【図２】スリットクリップを構成する主要部品と主要部位を説明する部品図
【図３】スリットクリップの内部構造と主要部位を説明する断面図
【図４】開封された袋の口を丸めてスリットクリップを使用する図
【図５】鉄と磁石付スリットクリップ組立図
【図６】金属ワイヤのフック体２ｅを説明する組立図
【図７】Ｔ字体２ｆとコの字レール体に取付けを説明する図
【図８】Ｔ字体２ｆとコの字レール体の要部拡大図
【図９】ダボ２ｋとダボ受け体１０ｇを説明する図
【図１０】ファスナー付き袋物の要部拡大図
【図１１】ファスナー付き袋物用のスリットクリップ図
【図１２】円形回転機構組図
【図１３】回転部品図
【図１４】片側挿入型スリットクリップ図
【図１５】回転部品配置図
【図１６】湯煎調理器への応用例の図
【図１７】取付けレール付き鍋蓋の例の図
【発明を実施するための形態】
【実施例１】
【００１０】
図１が本発明の第１の実施の形態のスリットクリップである。図２にスリットクリップの構成部品を示す。本体１は２つの本体部品１ａ、１ｂによって構成される。本体部品１ａ、１ｂはスライド部１ｄ、スライドガイド部１ｅにより互いに勘合する。係合爪１ｆと爪受け部１ｇにより係合する所定位置まで圧入され係合し固定される。爪受け部１ｇに係止された係合爪１ｆの先端部１ｈは、指で簡単に外せるように爪受け部１ｇより所定の量だけ飛び出している。これにより、指先が係止爪１ｆの先端部１ｈをおし上げることが簡単にでき、固定された状態からの速やかな解除が行える。吸盤２ａは吸盤の圧入部２ｂを有し、本体１の背面に作成された側面ポケット部１ｍに圧入される。図３に示すように、本体部品１ａ、１ｂの内側は筒状の空間が設けられ、これが中空部３となる。中空部３の両端部３ａ、３ｂは中央部より広くなっている。本体部品１ａ、１ｂの内側に凸部１ｃを設けてあり、これにより中空部３に所望の屈曲を得る。本体部品１ａ、１ｂの下側の対向部分が設けられており、所望の屈曲部４ｃを有するスリット部４となっている。袋を挟みやすいように、中空部の両端３ａ、３ｂ並びにスリット部４の両端４ａ、４ｂは、なだらかに開いている。
【００１１】
袋物５を開封し内容物が残った時、本発明のスリットクリップを用い保存する方法を説明する。開封された袋口５ａを図４（ａ）に示すように丸める。袋口５ａを丸めた円筒の径５ｃは中空部の径３ｄと同じ、あるいはそれ以下の径にするのが良い。中空部３の端部３ａ、３ｂ並びにスリット部４の端部４ａ、４ｂは広くなっているので、丸めた袋口５ａをスリットクリップの本体１に容易に差し込むことができる。丸めた袋口５ａを袋中央分まで差し込み手の拘束を解除すると、図４（ｂ）に示すように、丸めた袋口５ａは中空部より大きくなろうとして止まる。
【００１２】
図３の本体１の断面図で示すように、本体１の中空部３は屈曲部３ｃを設けてあるので、丸めた袋口５ａは強制的に屈曲し、袋物５を引きぬく抵抗力がそれだけ大きくなる。本体１のスリット部４も波型の屈曲部４ｃを設けてあるので、同様に袋物５を引きぬく抵抗力がそれだけ大きくなる。結果として、軽量物であれば、本体１は袋物５を吊り下げても袋を保持できる。すなわち、吸盤２ａを介して本体１を被設置補助部１０である壁に貼り付けて袋物５を吊り下げて収納することが可能となっている。吸盤２ａが設置時補助部２として機能する。
収納棚の引き出しに収納された複数の袋は、袋同士が重り、下の袋が把握しづらくなり、乱雑になってしまう問題が、スリットクリップを使用することで解決する。
【００１３】
設置補助具２として吸盤２ａで実現する方法を図1〜３で示したが、吸盤２ａの代わりに磁石２ｃを利用する方法も有効である。すなわち、例えば、図５（ａ）に示すように、磁石２ｃを本体１の上部の平面部１ｉに貼り付けて設置補助具２としても良い。スリット部は本体１の真下である必要は無く、図５（ａ）に示すように横にずれていても良い。これにより、例えば、図５（ｂ）に示すように、天袋の下面に取付けられた鉄などの被設置補助部１０である強磁性金属板１０ｄに着脱自在にできる。
【００１４】
磁石と金属板の位置関係を逆にしても良い。すなわち、本体１の側面平面部１ｊに磁石に吸い付く金属板２ｄを貼り付け、壁に被設置補助部１０となる磁石帯体１０ｅを取付け、金属板２ｄを壁に貼り付けるようにしても良い。
【００１５】
本体１にフック体２ｅを取付ける方法で設置補助具２としても良い。すなわち、例えば、図６に示すように、金属ワイヤで形成されたフック体２ｅの圧入部２ｆを本体１の側面に設けられたポケット部１ｍに圧入して取付ける。これにより被設置補助部１０となる高所の棚板やパイプなどに着脱自在に係合できる。
【００１６】
本体１に穴１ｎを設け、壁に設けられた釘などの突起体１０ｂに係止する方法であっても良い。すなわち、本体１に設けられた穴１ｎが設置補助部２として働く。この方式は、スリットクリップの本体１に穴１ｎがあれば良いので、最小部品とできる利点がある。反面、被設置補助部１０となるところに突起体１０ｂを設ける必要がある点が短所となる場合がある。
【００１７】
コの字レール体１０ｆとＴ字体２ｇを用いる方法でも良い。すなわち、図７に示すように、コの字レール体１０ｆを被設置補助部１０とする釣り戸棚の下などの高所に取付ける。コの字レール体１０ｆの下の空間が吊り下げ用収納空間となる。Ｔ字体２ｇの頭部２ｉをコの字レール体１０ｆの溝に入れ回動することで、Ｔ字体２ｇがコの字レール体１０ｆと係合する。Ｔ字体２ｇをスリットクリップの本体１の上部に結合されることで、スリットクリップを実迅速に着脱自在が可能とできる。本体１に取付けられたＴ字体２ｇが設置補助部２として働く。
【００１８】
図８に示す要部の拡大図を用いて、スリットクリップを迅速に着脱自在とできる５条件がある。
条件１）Ｔ字体２ｇの首部２ｈの水平断面は、レール口幅Ｌ１４を直径とする円の内側のこと。
条件２）Ｔ字体２ｇの首部２ｈの長さＬ２３は、レール口の板厚Ｌ１５より大きいこと。
条件３）Ｔ字体２ｇの頭部２ｉの横寸法Ｌ２５は、レール口幅Ｌ１４より小さいこと。
条件４）Ｔ字体２ｇの頭部２ｉの縦寸法Ｌ２４は、レール口幅Ｌ１４より大きいこと。
条件５）Ｔ字体２ｇの頭部２ｉの高さ寸法Ｌ２６は、レール内寸高さＬ１３より小さいこと。
以上の５条件が全て満たされればＴ字体２ｇをコの字レール体１０ｆに入れて回動することで速やかな着脱が可能となる。なお、３６０度の自由な回動を得る条件は、
条件６）Ｔ字体２ｇの頭部２ｉの縦寸法Ｌ２４は、レール内寸幅Ｌ１２より小さいこと。
以上の６条件が全て満たされれば、Ｔ字体２ｇはレール内に挿入して３６０度回動可能と出来る。
【００１９】
Ｔ字体２ｇを本体１に取付ける方式を説明したが、本体部品１ａ、１ｂが型成形品の場合、Ｔ字体２ｇも同時に成形する一体成形方式が有効である。成形品の材料がスリットクリップ本体１とＴ字体とが同一材料となり、材料の選定に制約となるが、部品点数が増えずに取付け作業が不要という利点がある。
【００２０】
図９に示すように、本体１に設置補助部２としてダボ２ｋを設け、被設置部１０としてダボ受け体１０ｇに挟み込む形態でも良い。ダボ受け体１０ｇは所定の可撓性を有しており、スリットクリップを簡単に挟み込む。
【００２１】
以上、本体１上に設けられた穴１ｎをはじめ、吸盤２ａ、磁石２ｃ、強磁性体板２ｄ、線材フック体２ｅ、Ｔ字体２ｇ、ダボ２ｋなどで本体１の設置補助部２とする例を上げてきた。これらはいずれもスリットクリップ本体１が極めて簡単に着脱できるので、スリットクリップに定期的な洗浄や殺菌消毒処理が求められる用途には有効である。対して、スリットクリップに強固な固着が求められる場合は、スリットクリップを所定の場所にネジ止めや、接着するなどの方法を取ることが有効となる。
【００２２】
スリットクリップによって袋物５を封止して吊るした時、袋物５の袋底５ｂが下に接触する場合がある。袋底５ｂが接触すると、袋物の重さを支えることになりそれだけスリットクリップにかかる力を軽微に出来る。これにより軽量物適用というスリットクリップの活用範囲が大幅に広げることができる。このことを利用する方法として、スリットクリップと所定の袋をセットして提供する方法も有効である。袋の高さを一定として、吊り下げ収納すると袋の底が必ず収納空間の底部に届くようにでき、結果、軽量物でないものを吊り下げて収納できるようになる。
【実施例２】
【００２３】
匂いが移ることや、湿気を吸うことなどを防ぐ密閉封止方法として、近年種々のファスナー付き袋が増加しており、高品位を唱う物品を中心に広まりつつある。図１０は、ファスナー付き袋物の要部拡大図である。袋物の最上部が溶着部５ｄにより密後止されている。その下の切れ込み５ｅから切り取ることで開封と出来る。それより下にファスナー部５ｆが設けられていて、開封後にファスナー部５ｆに所定の圧力を加えることで、袋口５ａの再度の密閉封止が出来る。ファスナー付きの汎用の空袋も一般的になっている。図１０の側面図に示されるように、袋物の袋口５ａの内部に設けられたファスナー部５ｆの袋の厚みｔ１は、ファスナーの無い部分の袋の厚みｔ０に比べ数倍以上増えている。
【００２４】
ファスナー付き袋用のスリットクリップ２０を図１１に示す。スリットクリップ２０のスリット部４はｔ０からｔ１に広がらないかぎりファスナー付き袋を保持できるので、この特徴を活かしたスリットクリップである。スリットクリップのスリット部４は直線部４ｄでも構わない。すなわち、実施例１〜２に示すスリットクリップに見られるスリット部４の波型４ｃが無くても良い。同様な理由により中空部３の屈曲部３ｃは無くても良い。屈曲部が無い分それだけ袋口の挿入がスムーズになる。
【００２５】
ファスナー付き袋用のスリットクリップ２０では、中空部３並びにスリット部４に求められる形状は変化したが、それ以外は実施例１〜２と同様である。加えて、軽量用という用途の制限は大幅に緩和され、単なる封止でなく密後止を求められる用途で軽量物でなくても適用が可能となる範囲が広がっている。
【００２６】
なお、大きく重い袋物をスリットクリップ２０で吊り下げると、下に引きぬく力には十分な抵抗力を示すが、スリットクリップの中央からずれている場合、下に引きぬく力は横にスライドさせる力としても働き、それだけスリットクリップが横に外れやすい。横に引き抜く抵抗力を増すために、中空部３やスリット部４に屈曲部３ｃ，４ｃを設ける方法も対応手段となる。
【実施例３】
【００２７】
図１２に示すように、円形の回転収納体３０は、支柱体３１と回転体３２とよりなる。図１３に示すように、支柱体３１は、軸棒３１ａとその中央に鉛直に設けられた土台３１ｂとよりなる。回転体３２は、回転上板３２ａと回転下板３２ｃと両者を結合する回転菅３２ｂと、回転上板３２ａの下面に放射状に設置されたスリットクリップ３３とからなる。回転体３２は、支柱体３１に回動可能に取付けられる。
【００２８】
スリットクリップは放射状に配置された外側からだけ袋口５ａが挿入されるので、図１４に示すように片側挿入型のクリップ３４が良い。クリップ３４は実線で示されるが、両側挿入型スリットクリップの変形された部分３４ａが破線で示される。片側挿入型スリットクリップは破線より狭い領域での設計が可能となる。結果として図１５に示されるように、（ａ）左半分に示される様な双方向挿入型スリットクリップを放射状に設置するより、（ｂ）右半分に示される様な片側挿入型スリットクリップの放射状の配置が高密度で可能となる。
【００２９】
袋物５をスリットクリップにより封止し吊り下げた時、袋物５が鉛直方向に長いと回転下板３２ｃに袋底５ｂが接触するが、回転上板３２ａが回動する時回転下板３２ｃは回転上板３２ａとともに回動するので問題ない。袋底５ｂが接触することで袋の自重の所定の割合を回転下板３２ｃが受け持つことになるので、スリットクリップが受け持つ荷重が少なくなり、それだけ軽量物でなくても適用が可能となる範囲が広がっている。
【００３０】
なお、軽量の袋物用で吊り下げた時の高さが回転下板３２ｃに届かない用途では、回転下板３２ｃが無くても良い。
【実施例４】
【００３１】
湯の温度特性を利用した湯煎調理法が有る。すなわち、湯は常圧では１００℃以上にならず、直火利用の調理方法より調理時間が必要となるが、じっくり中まで食材に火を通す方法として使われている。特に体積に比べ表面積の少ないブロック形状の食材、例えばブロック肉の調理法として有用である。
ブロック肉の表面に焼き目をつけた後、図１６に示すように、ファスナー付き袋に内蔵した後、密封封止し、湯をはった鍋に入れる。袋は鍋の中で横たわっても良い。スリットクリップで袋口だけが湯面より上に保持されている。その後、時間をかけてブロック肉の加熱を遂行することで調理する方法が湯煎調理法である。このように本発明のスリットクリップを利用することで、手軽に湯煎調理法を実行することが出来る。
【００３２】
湯煎調理器に使用される鍋蓋の例を図１７に示す。鍋蓋４２の裏側には図８に示す機能を有したコの字レール体４３が取付けられており、このレールに着脱自在にスリットクリップ４４が着脱自在に取付けられている。コの字レール体４３並びにＴ字体を持ったスリットクリップ４４は１００℃で使える耐熱性が必要となっている。
【産業上の利用可能性】
【００３３】
以上、実施例１では袋物の封止を簡単に実現するスリットクリップを述べ、実施例２では密封機能がほしい用途に使えるスリットクリップを示し、実施例３では回転型収納を実現する方式を示し、第４の形態では湯煎調理にも有効な活用方法に言及した。いずれも吊り下げる収納とその応用の範疇であり、袋物のアクセスに優れなおかつ整理整頓した収納を実現できる。
【００３４】
さらに、吊り下げて収納する方法は収納空間の有効利用という面でも利点がある。ものは置いた専有面積で必要収納空間とすることが多い。即ち、床から収納物の高さまでが専有空間であり、その上の空間は使われない。一方、吊り下げる収納は天井から所定の長さが専有空間となるので、使われていなかった空間の利用につながり、より効率的な収納空間を実現するのに有利である。このことを活かす方法として、物を置いて収納する収納庫に本発明のスリットクリップを用い、収納庫の天井や棚板の下側、壁面利用での吊り下げ収納機能を加えることは有用であることが多い。
【符号の説明】
【００３５】
１  スリットクリップ本体    
１ａ  本体前面部品
１ｂ  本体背面部品
１ｃ  本体の内部壁上の凸部
１ｄ  本体内部のスライド部
１ｅ  本体内部のスライドガイド部
１ｆ  本体内部の係合爪
１ｇ  本体内部の爪受け部
１ｈ  本体内部の係合爪の先端部
１ｉ  本体の上面に形成される平面
１ｊ  本体の側面に作成される平面
１ｋ  本体の上面に作成されるポケット部
１ｍ  本体の側面に作成されるポケット部
１ｎ  本体の側面に設けられた穴
１ｐ  本体の上面に作成されるＴ字部
１ｑ  本体の上面に作成されるＴ字部の縦棒部である首部
１ｒ  本体の上面に作成されるＴ字部の横棒部である頭部
２  本体の設置補助部
２ａ  本体に取付けられる吸盤
２ｂ  本体のポケット部に圧入される吸盤の圧入部
２ｃ  本体に取付けられる磁石
２ｄ  本体に取付けられる磁石に吸い付く金属板
２ｅ  線材フック体
２ｆ  本体のポケット部に圧入されるフック体の圧入部
２ｇ  Ｔ字体
２ｈ  Ｔ字体の首部
２ｉ  Ｔ字体の首部より上の頭部
２ｊ  Ｔ字体の底面部に塗布された接着部
２ｋ  ダボ
３  中空部
３ａ  中空部の一方の端部
３ｂ  中空部の他方の端部
３ｃ  中空部の屈曲部
３ｄ  中空部の径
４  スリット部
４ａ  スリットの一方の端部
４ｂ  スリットの他方の端部
４ｃ  スリットの波型部
４ｄ  スリットの直線部
５  袋物
５ａ  袋物の袋口
５ｂ  袋物の袋底
５ｃ  袋口５ａを丸めた時の径の値
５ｄ  袋物の袋口の切り取られる溶着部
５ｅ  袋物の袋口の溶着部除去用の切れ込み
５ｆ  袋物の袋口の内部に設けられたファスナー部  
１０    被設置部
１０ａ  スリットクリップを設置する棚板
１０ｂ  スリットクリップを設置する突起体
１０ｃ  スリットクリップを設置するパイプ
１０ｄ  スリットクリップを設置する強磁性金属板
１０ｅ  スリットクリップを設置する永久磁石体
１０ｆ  Ｔ字体と係合するコの字レール体  
１０ｇ  ダボ受け体
２０  ファスナー付き袋物用のスリットクリップ
３０  回転収納体
３１  支柱体
３１ａ  軸棒
３１ｂ  土台
３２  回転体
３２ａ  回転上板
３２ｂ  回転管
３２ｃ  回転下板
３３  回転体に設置されたスリットクリップ
３４  片側挿入型スリットクリップ
３４ａ  両側挿入型スリットクリップの変形された部分
４０  鍋調理器
４１  鍋
４２  鍋蓋
４３  鍋蓋内側に取付けられたコの字レール体
４４  コの字レール体に取付けるＴ字体を有するスリットクリップ
Ｌ１  レールの寸法
Ｌ１１  レールの全長
Ｌ１２  レールの内幅寸
Ｌ１３  レール内の高さ寸法
Ｌ１４  レール口の内寸
Ｌ１５  レール口の板厚
Ｌ２  Ｔ字体の寸法
Ｌ２１  Ｔ字体の首部の縦寸法
Ｌ２２  Ｔ字体の首部の横寸法
Ｌ２３  Ｔ字体の首部の高さ寸法
Ｌ２４  Ｔ字体の頭部の縦寸法
Ｌ２５  Ｔ字体の頭部の横寸法
Ｌ２６  Ｔ字体の頭部の高さ寸法
ｔ０  袋口の厚さ
ｔ１  袋口のファスナーが設けられている部分の厚さ
【図１】
2018002309.tif 000003
【図２】
2018002309.tif 000004
【図３】
2018002309.tif 000005
【図４】
2018002309.tif 000006
【図５】
2018002309.tif 000007
【図６】
2018002309.tif 000008
【図７】
2018002309.tif 000009
【図８】
2018002309.tif 000010
【図９】
2018002309.tif 000011
【図１０】
2018002309.tif 000012
【図１１】
2018002309.tif 000013
【図１２】
2018002309.tif 000014
【図１３】
2018002309.tif 000015
【図１４】
2018002309.tif 000016
【図１５】
2018002309.tif 000017
【図１６】
2018002309.tif 000018
【図１７】
2018002309.tif 000019